Podtech/llm-jp-corpus-v4-ja_patent huggingface dataset:
(57)【要約】      （修正有）【課題】刈り取られた頭髪処理のための前準備で手間が不要で、かつとら刈りの心配もなく、気がついた部分のみカットできる電気散髪器を提供する。【解決手段】頭髪を指２本で挟み、その先端を内側に向け髪の毛の先端から内側に向け刈り取って行く方式の電界散髪器とすると共に、刈り取った頭髪は吸引装置５で外刃１の外側より外気と共に収納袋３へ収納し、散髪終了後に収納袋ごと廃棄する構造とする。【選択図】図１
2013034824.tif 000002
【特許請求の範囲】
【請求項１】
髪の毛を櫛の代りに指ではさみその髪をバリカンとは反対に毛先から頭部地肌に向け切り取ってゆく電気散髪器。
【請求項２】
毛先から切り取って行くことでとら刈りなどの心配もなく気の付いた部分のみのカットも気軽にでき刈り取った髪の毛は外気と共に吸引収納し後ですてることのできる電気散髪器
【発明の詳細な説明】
【技術分野】
【０００１】散髪時、頭髪と外気を一緒に散髪器内部の吸引装置で収納袋へ収納する事で飛散を防ぐ
【背景技術】
【０００２】従来、散髪は布などを体に巻き付け頭髪の付着防止準備に手間が掛かり場所も家の中ではむずかしく庭先が多かった
【発明の開示】
【発明が解決しようとする課題】
【０００３】散髪するには前準備の手間も多く又、家の中ではむずかしく外でする事が多く時間も掛る難点があった。本発明はこの課題を解消する為になされたものである。
【課題を解決する為の手段】
【０００４】頭髪を指２本で挟みその先端を刈り取る。刈り取られた頭髪は吸引装置（５）で外刃の外側より外気と共に収納袋（３）へ送り込み後で袋ごと捨てる。
【発明の効果】
【０００５】（イ）散髪する場所を選ぶことなく、どこでもできる。
（ロ）体に布を巻きつけることなどの前準備の必要なくなる。
（ハ）ひと月に１〜２回の散髪で１回に掛る時間は３分位。
【実施例１】
【０００６】指２本で頭髪を挟み先端を外刃で刈り取る。
【図面の簡単な説明】
【０００７】
【図１】本発明の断面図
【図２】内刃
【図３】収納袋
【符号の説明】
【０００８】１    外刃兼外気吸入口
２    内刃
３    収納袋（通気性良好）
４    収納袋設置場所のふた
５    外気取り込み用プロペラ
６    排気口
７    モーター
８    内刃とプロペラ駆動軸
９    蓄電池
１０  電気コード
【図１】
2013034824.tif 000003
【図２】
2013034824.tif 000004
【図３】
2013034824.tif 000005
(57)【要約】【課題】地震はいつどこで起こるか分からない。街中での落下物などから頭を守りたいが通勤通学その他の外出時に地震に備えヘルメットや防災頭巾を持ち歩くことは難しい。【解決手段】外出時に防災頭巾になる手提げ袋を持ち歩くことにより、地震発生時に手提げ袋の側面のファスナーを開けて頭に被ることにより、ある程度落下物などから頭を守ることができる。二つの袋の中にＢ４サイズの硬質塩ビのカードケースを入れるとガードする力が増す。【選択図】図１
2013034809.tif 000002
【特許請求の範囲】
【請求項１】
綿入りのキルティングしたビニールや化学繊維の布でＢ４の書類が入るサイズの二つの袋を底を続けてとり、片側側面を上部１０ｃｍを残して縫い合わせ、二つの袋それぞれに中にポケットを付け、口にファスナーを付け、底を縫い合わせ、反対側面に底から５ｃｍ縫い合わせておいてファスナーを付け、もち手を付け、二つの袋の中にＢ４サイズの硬質塩ビのカードケースを入れた防災頭巾になる手提げ袋。
【発明の詳細な説明】
【技術分野】
【０００１】かばんと手提げ袋の製作と防災頭巾製作。
【背景技術】
【０００２】かばんと手提げ袋製作業者、防災頭巾製作業者それぞれに製作している。
【発明の概要】
【発明が解決しようとする課題】
【０００３】外出時に地震にあったらビルなどからの落下物から身を守らなければならないがヘルメットや防災頭巾を常に持ち歩くことは難しい。
【課題を解決するための手段】
【０００４】外出時に防災頭巾になる手提げ袋（書類かばん）を持つ。
【発明の効果】
【０００５】外出時に地震にあった時にビルなどからの落下物から頭をある程度守ることができる。
【図面の簡単な説明】
【０００６】綿の入ったキルティングのビニールや化学繊維の布でＢ４の書類が入るサイズの二つの袋を底を続けてとり、片側側面を上部１０ｃｍを残して縫い合わせ、二つの口にそれぞれファスナーを付け、底を縫い合わせ、反対側面に底から５ｃｍ縫い合わせておいてファスナーを付け、もち手を付けた防災頭巾になる手提げ袋。
【図１】正面を示した図である。
【図２】側面を示した図である。
【図３】上部より見た図である。
【図４】防災頭巾としてかぶった時の絵である。
【発明を実施するための形態】
【０００７】綿の入ったキルティングの布やビニールなどの化学繊維と中ポケットの布、ファスナー、もち手生地を使ってミシンで縫い、中に硬質塩ビのカードケースを入れて販売する。
【実施例】
【０００８】購入者は毎日の通勤通学などの外出時に持ち歩き地震発生時に側面のファスナーを開いて頭に被る。
【産業上の利用可能性】
【０００９】かばん、袋物、防災用品の製作と販売の活性化。
【符号の説明】
【００１０】１  ファスナー
【図１】
2013034809.tif 000003
【図２】
2013034809.tif 000004
【図３】
2013034809.tif 000005
【図４】
2013034809.tif 000006
(57)【要約】      （修正有）【課題】ボールをスイートエリアで捉えやすいテニスラケットを提供する。【解決手段】フェイス４がグリップ２の中心を通る軸に対し左右非対称であり、プレイヤーがラケットを保持してフェイス４の中心付近を見たときの視線を軸としてフェイス４が上下に概ね対称となる形状とした。【選択図】図１
2013034807.tif 000002
【特許請求の範囲】
【請求項１】
フェイスがグリップの中心を通る軸に対し左右非対称であり、プレイヤーがラケットを保持してフェイスの中心付近を見たときの視線を軸としてフェイスが上下に概ね対称となる形状のテニスラケット。
【発明の詳細な説明】
【技術分野】
【０００１】  この発明は、ボールをスイートエリアで捉えやすいテニスラケットに関する。
【背景技術】
【０００２】  従来、テニスラケットはグリップの中心を通る軸に対して左右対称である。
【発明の概要】
【発明が解決しようとする課題】
【０００３】  深視力が弱いプレイヤーは、ボールをテニスラケットのスイートエリアで捉えるのが難しい。なぜなら、プレイ中のボールは、深視力が弱いプレイヤーが認識した位置を中心にプレイヤーの視線方向の前後に分布しているが、ラケットのスイートエリアの分布の向きと方向がずれているため、両者が重なる面積が狭くなっている。
本発明は、スイートエリアの分布の向きをプレイヤーの視線方向に近づけてこの面積を広げるためになされたものである。
【課題を解決するための手段】
【０００４】  上記の課題を解決するために、本発明のテニスラケットは、グリップの中心を通る軸に対しフェイスが左右非対称であり、プレイヤーがラケットを保持してフェイスの中心付近を見たときの視線を軸としてフェイスが上下に概ね対称となる形状にした。
【発明の効果】
【０００５】  本発明のテニスラケットは、スイートエリアがプレイヤーがラケットを保持したときのプレイヤーの視線方向に長く広がっており、プレイヤーはボールをスイートエリアで捉えやすい。
【図面の簡単な説明】
【０００６】
【図１】  本発明の実施例を示すテニスラケットの平面図である。
【図２】  従来のラケットを使用しているプレイヤーの視線とスイートエリアの関係を示す模式図である。
【図３】  本発明のラケットを使用しているプレイヤーの視線とスイートエリアの関係を示す模式図である。
【発明を実施するための形態】
【０００７】  以下、本発明のテニスラケットの実施の形態を実施例により説明する。
【０００８】  本発明のテニスラケットは、グリップの中心を通る軸に対しフェイスが左右非対称であるが、フェイスの重心は概ねグリップの中心を通る軸の延長線上にあり、従って、ラケット全体の重心も概ねグリップの中心を通る軸の延長線上にあるものとする。
【０００９】  本発明のテニスラケットは、グリップの中心を通る軸に対しフェイスが左右非対称であるため、プレイヤーは特定の向きでラケットを保持することになる。図１では、右側を下に、左側を上に保持することになる。
【００１０】  視線５とスイートエリア７とが重なる長さより視線５とスイートエリア８とが重なる長さが長くなり、プレイヤーはラケット６よりラケット１の方がボールをスイートエリアで捉えやすい。
【符号の説明】
【００１１】  １    本発明のテニスラケット
２    グリップ
３    シャフト
４    フェイス
５    プレイヤーの視線
６    従来のテニスラケット
７    従来のテニスラケットのスイートエリア
８    本発明のテニスラケットのスイートエリア
９    プレイヤー
【図１】
2013034807.tif 000003
【図２】
2013034807.tif 000004
【図３】
2013034807.tif 000005
(57)【要約】【課題】コンデンサ素体の高さが低い場合（コンデンサ素子の数が少ない場合）には、コンデンサ装置の電気特性（静電容量または損失率）が安定しないといった問題があった。これはコンデンサ素体の左右端近傍でコンデンサ素子を緊縛しているために集合板の中央付近が浮き上がる、言い換えれば集合板が波打つような現象が発生し、これが電気特性の不安定さの原因であった。集合板の中央付近にも集合バンドを設けて、集合バンドの数を３本としても集合板の波打ち現象は発生した。【解決手段】シート状の誘電体と電極箔とからなるコンデンサ素子が筒状に巻回された後に扁平状に成形され、前記コンデンサ素子が複数並設され集合板で挟まれて複数の集合バンドで緊縛されたコンデンサ素体において、前記集合バンドの取り付け間隔を５０ｍｍ以上、１２０ｍｍ以下に設定したことを特徴としている。【選択図】図１
2013214639.tif 000002
【特許請求の範囲】
【請求項１】
シート状の誘電体と電極箔とからなるコンデンサ素子が筒状に巻回された後に扁平状に成形され、前記コンデンサ素子が複数並設され集合板で挟まれて複数の集合バンドで緊縛されたコンデンサ素体において、前記集合バンドの取り付け間隔を５０ｍｍ以上、１２０ｍｍ以下に設定したことを特徴とするコンデンサ装置。
【発明の詳細な説明】
【技術分野】
【０００１】
本発明は、シート状の誘電体と電極箔とからなるコンデンサ素子が複数並設されて容器内に絶縁媒体とともに封入されている電力用などに使用されるコンデンサ装置に関するものである。
【背景技術】
【０００２】
従来技術について図４を用いて説明する。図はコンデンサ装置内部に収納されるコンデンサ素体の斜視図である。ポリプロピレン等の誘電体フィルムや紙などのシート状の誘電体と一対のアルミニウムなどの電極箔とが交互に重ね合わされて筒状に巻回された後に、扁平状に成形されてコンデンサ素子１が構成される。
【０００３】
そして、複数個のコンデンサ素子１（図示の例では５個）が集合板２によって挟まれ、集合バンド３によって緊縛されてコンデンサ素体４が構成される。図示の例では、集合バンド３はコンデンサ素体４の左右端近傍の２箇所に用いられる。コンデンサ素体の幅が広い場合には、中央付近も追加して合計３箇所に集合バンドが用いられることがある。集合バンドの使用本数はコンデンサ素体の高さ（コンデンサ素子自体の数）によって変わることはない。
【０００４】
集合バンド３は、例えばナイロンやポリプロピレンといった材質のものが使用される。これらの材質の集合バンドは、熱を加えると融着するので、容易に複数のコンデンサ素子を緊縛することができる。
【０００５】
先行技術文献では、コンデンサ素子を幅の広い１本の集合バンドによって緊縛することが開示されている。
【先行技術文献】
【特許文献】
【０００６】
【特許文献１】特開平０８−５５７５９号公報
【発明の概要】
【発明が解決しようとする課題】
【０００７】
コンデンサ素体の高さが低い場合（コンデンサ素子の数が少ない場合）には、コンデンサ装置の電気特性（静電容量または損失率）が安定しないといった問題があった。これはコンデンサ素体の左右端近傍でコンデンサ素子を緊縛しているために集合板の中央付近が浮き上がる、言い換えれば集合板が波打つような現象が発生し、これが電気特性の不安定さの原因であった。集合板の中央付近にも集合バンドを設けて、集合バンドの数を３本としても集合板の波打ち現象は発生した。
【０００８】
先行技術文献に開示されている技術は、解決しようとする課題に対しては有効ではある。しかし、特殊な幅の広い集合バンドを使用することになるので、従来にない設備を準備する必要があり、コストが増大するといった問題が新たに発生する。
【課題を解決するための手段】
【０００９】
本発明は、シート状の誘電体と電極箔とからなるコンデンサ素子が筒状に巻回された後に扁平状に成形され、前記コンデンサ素子が複数並設され集合板で挟まれて複数の集合バンドで緊縛されたコンデンサ素体において、前記集合バンドの取り付け間隔を５０ｍｍ以上、１２０ｍｍ以下に設定したことを特徴としている。
【発明の効果】
【００１０】
コンデンサ素子を緊縛する集合バンドの本数を増やし、集合バンド間の取り付け間隔を５０ｍｍ以上、１２０ｍｍ以下に設定したことによって、集合板が波打つことがなくなり、電気特性を安定させることができる。また、特殊な部材や設備を新たに設ける必要が無く、コストや工数の増加を最小限にとどめることができる。
【図面の簡単な説明】
【００１１】
【図１】図１は本発明の実施形態に係るコンデンサ素体の斜視図である。
【図２】図２は集合バンドの間隔と損失率との関係を示したグラフである。
【図３】図３は集合バンドの間隔と静電容量との関係を示したグラフである。
【図４】図４は従来のコンデンサ素体の斜視図である。
【発明を実施するための形態】
【００１２】
以下、本発明の実施例について図１を用いて説明する。図はコンデンサ装置内部に収納されるコンデンサ素体の斜視図である。ポリプロピレン等の誘電体フィルムや紙などのシート状の誘電体と一対のアルミニウムなどの電極箔とが交互に重ね合わされて筒状に巻回された後に、扁平状に成形されてコンデンサ素子１が構成される。
【００１３】
そして、扁平状に成形された複数個のコンデンサ素子１（図示の例では５個）が集合板２によって挟まれ、集合バンド３によって緊縛されてコンデンサ素体４が構成される。図示の例では集合バンド３は５箇所に用いられる。これらの集合バンドの取り付け間隔は５０〜１２０ｍｍ程度が望ましい。図示の例では集合バンドは５箇所となっているが、取り付け間隔を狭くして本数を増やしても構わない。
【００１４】
図２は集合バンドの間隔と損失率との関係を示したグラフである。実験の結果、集合バンドの間隔が１２５ｍｍを超えると損失率が０．０４％を超えることが判明した。図３は集合バンドの間隔と静電容量との関係を示したグラフである。静電容量は設計値を１００％とし、実際に製作したときの静電容量を表わしている。実験の結果、集合バンドの間隔が１２５ｍｍを超えると静電容量が９０％を下回ることが判明した。これらの実験結果から、集合バンドの取り付け間隔は５０〜１２０ｍｍ程度にすることで、損失率や静電容量といった電気特性を向上させることができる。
【符号の説明】
【００１５】
１    コンデンサ素子
２    集合板
３    集合バンド
４    コンデンサ素体
【図１】
2013214639.tif 000003
【図２】
2013214639.tif 000004
【図３】
2013214639.tif 000005
【図４】
2013214639.tif 000006
(57)【要約】【課題】  携帯電話機本体をマナーモードにした状態で鞄等に入れた状態でも、携帯電話用イヤホンマイクの振動によって着信を認知することが出来るBluetooth（登録商標）無線通信モジュール搭載の携帯電話用イヤホンマイクを提供すること。【解決手段】  Bluetooth（登録商標）無線通信モジュール搭載の携帯電話用イヤホンマイクに、携帯電話機本体の着信時に作動する振動子を内蔵することにより、携帯電話用イヤホンマイクの振動で着信を認知できるようにする。【選択図】  図１
2013214841.tif 000002
【特許請求の範囲】
【請求項１】
振動子を内蔵するBluetooth（登録商標）無線通信モジュール搭載の携帯電話用イヤホンマイク。
【発明の詳細な説明】
【技術分野】
【０００１】
本発明は、携帯電話用イヤホンマイクに関するものである。
【背景技術】
【０００２】
従来の携帯電話は、通常、携帯電話機本体の発する着信音、またはマナーモード中は携帯電話機本体に内蔵されている振動子の振動により着信を認知することが出来る。  携帯電話用イヤホンマイク装着時は、イヤホンから発する着信音で着信を認知することが出来る。
【０００３】
しかし、携帯電話機本体をマナーモードにした状態で鞄等に入れ、携帯電話用イヤホンマイク非装着時は着信を認知することが出来ないことがある。
【０００４】
このような状態でも着信を認知出来るようにするため、Bluetooth（登録商標）無線通信モジュール搭載の携帯電話用イヤホンマイクのハウジングの内部空間に振動子を備え、着信時に振動することにより、携帯電話用イヤホンマイク非装着時でも、携帯電話用イヤホンマイクを着衣のポケットに収納しておくことにより着信を認知することが出来、携帯電話機本体を操作することなくハンズフリーで通話することが可能となる。
【発明の概要】
【発明が解決しようとする課題】
【０００５】
解決しようとする問題点は、携帯電話機本体をマナーモードにした状態で鞄等に入れている場合は、着信を認知することが出来ないことがある点である。
【課題を解決するための手段】
【０００６】
上記課題を解決するためになされた本発明は、ハウジングの内部空間に振動子を備えたBluetooth（登録商標）無線通信モジュール搭載の携帯電話用イヤホンマイクであって、前記振動子は携帯電話機本体の着信時に振動することを特徴とする。
【発明の効果】
【０００７】
本発明のイヤホンマイクは、Bluetooth（登録商標）無線通信モジュール搭載の携帯電話用イヤホンマイクが振動することにより携帯電話機本体の着信を認知できるので、携帯電話機本体をマナーモードにした状態で鞄等に入れた状態でも、Bluetooth（登録商標）無線通信モジュール搭載の携帯電話用イヤホンマイクを着衣のポケットに収納しておくことにより着信を認知することが出来、携帯電話機本体を操作することなくハンズフリーで通話することが可能となる。
【図面の簡単な説明】
【０００８】
【図１】本発明の実施の形態に係るBluetooth（登録商標）無線通信モジュール搭載の携帯電話用イヤホンマイクを分解した状態を示した説明図である。
【図２】本発明の実施の形態に係るBluetooth（登録商標）無線通信モジュール搭載の携帯電話用イヤホンマイクの外観を示す表側斜視図である。
【図３】本発明の実施の形態に係るBluetooth（登録商標）無線通信モジュール搭載の携帯電話用イヤホンマイクの外観を示す裏側斜視図である。
【発明を実施するための形態】
【０００９】
Bluetooth（登録商標）無線通信モジュール搭載の携帯電話用イヤホンマイクは、表側ハウジング１および裏側ハウジング２の嵌合で形成されたハウジング本体に、携帯電話機本体の着信時に作動する振動子７、および基板８、およびリチウムイオン電池９、およびマイクロホン１１を内蔵している。イヤホン３を耳に装着し、送受話器として使用するものである。
【００１０】
基板８には振動子７、およびイヤホンマイク本体の動作を制御する集積回路や、そのほかの回路部品が実装されている。充電端子５よりリチウムイオン電池９に充電を行ない、リチウムイオン電池９はスイッチ４の操作により給電の開始、および終了を行なう。スイッチ４は携帯電話着信時の通話開始、および通話終了を制御する機能を兼ね備えている。小孔６は裏側ハウジング２のマイクロホン１１正面中央部に位置し、送話口として開口している。イヤホン３から送出される音量は、ボリュームスイッチ１０を操作することにより調整される。
【符号の説明】
【００１１】
１    表面ハウジング
２    裏面ハウジング
３    イヤホン
４    スイッチ
５    充電端子
６    小孔
７    振動子
８    基板
９    リチウムイオン電池
１０  ボリュームスイッチ
１１  マイクロホン
【図１】
2013214841.tif 000003
【図２】
2013214841.tif 000004
【図３】
2013214841.tif 000005
(57)【要約】【課題】検知材の試薬との反応による光学濃度測定する測定装置の検知材の感度低下を防止すること。【解決手段】検出対象ガスと反応して反応痕を生じる反応試薬を含浸させた検知材３に発光手段４からの光を照射し、前記検知材３の前記反応痕からの反射光に基づいて前記反応痕の光学濃度を検出して検出対象ガスの濃度を測定する装置であって、前記発光手段４を、一定時間ごとに間欠的に駆動する。【選択図】図１
2013152091.tif 000002
【特許請求の範囲】
【請求項１】
検出対象ガスと反応して反応痕を生じる反応試薬を含浸させた検知材に発光手段からの光を照射し、前記検知材の前記反応痕からの反射光に基づいて前記反応痕の光学濃度を検出して検出対象ガスの濃度を測定する装置において、
前記発光手段を、一定時間ごとに間欠的に駆動することを特徴とする光学式ガス測定装置。
【発明の詳細な説明】
【技術分野】
【０００１】
本発明は、環境中に存在するガスを検知材との呈色反応により測定する光学式ガス測定装置、より詳細には検知材の反応痕の光学濃度を測定する装置に関する。
【背景技術】
【０００２】
環境中に存在するホルムアルデヒドに呈色反応する検知材は、特許文献１にみられるように、４−アミノ−４−フェニル−３−エン−２−オンと緩衝液とを含む発色液を少なくともガス反応領域にシリカゲルを含有する基材に含侵させて構成されている。
これによれば、４−アミノ−４−フェニル−３−エン−２−オンとホルムアルデヒドとの反応により生成するルチジン体の特異的な吸収波長の吸光度を検出することにより、高い感度でホルムアルデヒドを検出することができる。
【０００３】
しかしながら、低い濃度の測定に適用すると意外に感度が低いという問題がった。そこで
その原因を探るべく被検出ガスと接触していない検知材に発光手段の光を所定時間照射し、その後に所定濃度の被検出ガスを所定時間作用させ、その反応痕の発色度合いを比較したところ図６のようになった。
このことから検知材の試薬は、光の照射を受けると、図６に示したように積算の照射時間に応じて反応痕の発色の度合い（相対発色度）が変化、つまり被検出ガスの検出感度が低下することを発見した。
【先行技術文献】
【特許文献】
【０００４】
【特許文献１】特開２００４−１５７１０３号公報
【発明の概要】
【発明が解決しようとする課題】
【０００５】
本発明はこのような事情に鑑みてなされたものであって、その目的とするところはガスと検知材との呈色反応により測定する光学式ガス測定装置において、検出光による検知材の劣化を防止できる光学式ガス装置を提供することである。
【課題を解決するための手段】
【０００６】
このような課題を達成するために本発明は、検出対象ガスと反応して反応痕を生じる反応試薬を含浸させた検知材に発光手段からの光を照射し、前記検知材の前記反応痕からの反射光を受光手段により検出して前記反応痕の光学濃度を検出して検出対象ガスの濃度を測定する装置において、前記発光手段を間欠的に駆動するようにした。
【発明の効果】
【０００７】
光学濃度検出用の光による反応試薬の劣化を可及的に防止して、低濃度の検出対象ガスを高い精度で測定することができる。
【図面の簡単な説明】
【０００８】
【図１】本発明の一実施例を示すブロック図。
【図２】反応痕の吸光特性を示す線図。
【図３】発光手段の発光特性を示す線図。
【図４】所定濃度の検出対象ガスを点灯時間と消灯時間とを変化させて測定した場合の一例を示す線図。
【図５】所定濃度の検出対象ガスを点灯時間と消灯時間とを変化させて測定した場合の他の例を示す線図。
【図６】検知材への光の照射時間と感度との関係を示す線図。
【発明を実施するための形態】
【０００９】
そこで以下に本発明の詳細を図１に示した実施例に基づいて説明する。
本発明の光学式ガス測定装置は、検出ユニット１と、これに対向するように配置されたガス吸引ユニット２とを検知材３を挟むように配置して構成されている。
検出ユニット１は、発光手段４と受光手段５とを発光手段４の光が検知材３で反射されて受光手段５に入射するように配置すると共に、被測定環境からの空気を管６により取り込むように構成されている。一方、ガス吸引ユニット２は吸引口７を備え、図示しない吸引ポンプに管８を介して接続されている。
なお、図中符号９、１０は検知材３を収容するリールと巻き取りリールであり、また符号１１は、ガス吸引ユニット２を検出ユニットに切離させて巻き取りリール１０を駆動する駆動機構を示す。
【００１０】
ところで本発明が検出対象としているホルムアルデヒド（ＨＣＨＯ）の検知材３は、ホルムアルデヒドと反応していない状態では図２の曲線（Ａ）に示したように、波長４００〜７００ｎｍの範囲ではほとんど一定の吸光特性を有する。
他方、ＨＣＨＯによる反応痕に対しては、図２の曲線（Ｂ）に示したように波長４２０ｎｍに最大の吸収領域を有する。
【００１１】
したがってこの実施例では発光手段４は、波長４２０ｎｍの近辺に発光スペクトルを有する青色発光ダイオードを用いて波長４２０ｎｍの光を照射するように構成されている。
発光手段４は、点灯時間と点灯周期を制御する発光制御手段２１から電力の供給を受けている。なお、図中符号１３は、受光手段５からの信号に基づいてガスの濃度を算出するための信号処理手段である。
【００１２】
ところで点灯時間は、発光手段４の発光特性、つまり点灯開始以後の時間と光度との関係が図３のような場合、つまり通電開始から時間と共に変化する場合には、少なくとも0.9秒以上に設定されている。すなわち点灯直後から0.9秒ぐらいまでは光度が過渡的に変化するため、安定になる0.9秒以後での反射光を検出するのが望ましい。すなわち、発光制御手段１２は、短くとも０．９秒以上で、かつ安定な光量の光を受光手段５で確実に検出できる必要最小限の時間だけ点灯させるように構成されている。
【００１３】
次に、上述の実施例による検出結果を図４、図５に示す。
図４は濃度０．０５ｐｐｍのＨＣＨＯを従来の方式、つまり常時点灯（Ａ）、そして本発明の方式、つまり２秒消灯ー１秒点灯（Ｂ）、8.8秒消灯ー1.2点灯（Ｃ）、１８．８秒消灯ー1.2点灯（Ｄ）により測定したものであり、また図５は０．１ｐｐｍのＨＣＨＯを同上の方式で測定したものである。
【００１４】
これらのことから発光手段４を間欠点灯することが低い濃度のガスを高い感度で検出するのに極めて有効であることが判る。
【符号の説明】
【００１５】
１  検出ユニット    ２  ガス吸引ユニット    ３  検知材    ４  発光手段    ５  受光手段
【図１】
2013152091.tif 000003
【図２】
2013152091.tif 000004
【図３】
2013152091.tif 000005
【図４】
2013152091.tif 000006
【図５】
2013152091.tif 000007
【図６】
2013152091.tif 000008
(57)【要約】      （修正有）【課題】盤面に雌型取り付け用穴加工を施すことなく、また、衝撃緩衝材を盤面裏面に別途付加する必要のない雌型取付方法を提供する。【解決手段】雌型１の盤面２への固定を粘着剤（粘着剤塗布層３）の粘着力で行い、粘着剤、および、中間材４で衝撃緩衝性能と、厚さの調整を可能ならしめる。【選択図】図−１
2013107190.tif 000002
【特許請求の範囲】
【請求項１】
打抜き用雌型の固定を粘着剤の粘着力を用いて可能ならしめる。
【請求項２】
上述粘着剤を、雌型の裏面に層状に塗布（以後粘着層と呼ぶ）し、当該材の持つ柔軟性を利用して、衝撃緩衝材として活用する。
【請求項３】
上述粘着層は中間材を用いて中間材の表裏両面に粘着剤を層状に塗布して、補強、緩衝、厚さ、の性能、数値調整を行うことを特徴とする固定方法。
【発明の詳細な説明】
【発明の詳細な説明】
【産業上の利用分野】
【０００１】  本発明は例えば、段ボール、板紙又は樹脂フィルムの折れ線溝をプレス成形加工工程で使用する型に関するもので、裁断と折れ線溝形成両機能を併せ持つ雌型を面盤へ取り付ける時の、固定方法に関するものである。
【背景技術】
【０００２】  従来の方法はネジ止めによる固定方法が一般的である。【０００３】  上述の固定方法は雌型又は固定用治具と盤面に取り付け機能を持った穴加工を施して用いる事が一般的である。【０００４】  型の耐久力向上、平滑度補正及び製品の品質向上を目的で利用する衝撃緩衝材は別途付加する方法が一般的である。【０００５】  上記から現状方法では、固定用治具又は雌型と盤面に穴加工を施す必要がある。また異なる製品品種雌型毎に固定穴位置の変更を伴う事から、盤面の共用利用の限界を持って交換を余儀なくされ、運用には多数枚用意する事が必要となる。また、ネジ止め作業、別途緩衝材の用意等、作業工数及び部材共に多く無駄を発生させる要因を抱えている。
以上のことから、従来の固定方法は部材の無駄、作業性、性能、品質確保に多くの問題を抱えている。
【発明が解決しようとする課題】
【０００６】  上記説明でも明らかなように、上記公知の固定方法が抱えている、部材の無駄、作業性、性能、品質確保の問題を解決することにある。
【０００７】  本発明は、上記の問題点を解決するためになされたもので、固定を粘着剤の粘着力で、同剤及び中間材で補強、緩衝、厚さ要件調整を可能ならしめる、雌型固定方法を提供することに有る。
【課題を解決するための手段】
【０００８】  上記課題を解決するために、本発明は、粘着層に固定、衝撃緩衝、厚さ調整の複数の機能を併せ持たせる事を特徴とする。
【０００９】  粘着層は上述複数機能を粘着剤単体、または中間材、粘着剤を複数用いて実現する事を特徴とする。
【００１０】  中間材は単相又は複層構造で用い、上述機能を得る選択枝の自由度を拡大させる事を特徴とする。
【作用】
【００１１】  粘着力による固定の為盤面への加工が不要となる。
【００１２】  取り付け用穴位置の制約から回避出来る。
【００１３】  粘着固定作業工具の使用を排除できる。
【００１４】  緩衝機能により衝撃をやわらげることが出来る。
【００１５】  緩衝機能により振動の発生を抑制することが可能となる。
【００１６】  振動の発生が抑制されることにより騒音の発生が抑制できる。
【００１７】  緩衝機能により雄型と雌型の平滑度なじみが向上する。
【発明の効果】
【００１８】  盤面加工が不要となる事から作業性が向上する。
【００１９】  盤面加工が不要となる事から盤面の使い回し制限が排除され、在庫量と管理業務の削減が図れる。
【００２０】  工具を用いての作業が無くなり作業工数の削減と作業性が向上する。
【００２１】  衝撃吸収、振動発生の抑制により装置の故障の減少、劣化速度の遅延が見込め保守作業、費用の削減が可能となる。
【００２２】  振動発生、騒音抑制で作業環境の改善が図れる
【００２３】  緩衝機能により雄型と雌型の平滑度なじみが向上する事から、型の長寿命化が見込め、品質保証、作業性向上及びコストダウンが可能となる
【実施例】
【００２４】  本発明による粘着層により固定した打抜き用雌型の具体的取り付け例を図を参照しながら説明する。【００２５】  ［図−１］は盤面に雌型を固定した状態を示している。
【図面の簡単な説明】
【００２６】
【図−１】は雌型▲１▼、粘着層▲２▼、粘着剤塗布層▲３▼、中間材▲４▼の各部位が盤面▲５▼に接着された状態を示している。
【符号の説明】
【００２７】▲１▼  雌型                ▲２▼  粘着層        ▲３▼  粘着剤塗布層
▲４▼  中間材              ▲５▼  盤面          ▲６▼  レジスターピン穴
▲７▼  折れ線形成溝
【図−１】
2013107190.tif 000003
(57)【要約】【課題】本発明は、クリップ位置や大きさの異なるペンも手帳からペン頭部が飛び出すことなくコンパクトに挿すことが可能なペン挿し手帳を提供する。【解決手段】手帳本体の全長より手帳表表紙の全長を短くした部分の手帳段差を手帳表表紙上部に設け、手帳段差の全長より手帳カバー表表紙の全長を短くした部分の手帳カバー段差を手帳カバー表表紙上部に設けたことを特徴とするペン挿し手帳。【選択図】図１
2013107377.tif 000002
【特許請求の範囲】
【請求項１】
手帳本体の全長より手帳表表紙の全長を短くした部分の手帳段差を手帳表表紙上部に設け、手帳段差の全長より手帳カバー表表紙の全長を短くした部分の手帳カバー段差を手帳カバー表表紙上部に設けたペン挿し手帳。
【発明の詳細な説明】
【技術分野】
【０００１】  本発明は、手帳と手帳カバーに関し、手帳表表紙上部にペン挿し部を設けた手帳に関するものである。
【背景技術】
【０００２】  従来より、手帳のペン挿し構造の多くは、外カバーの側端部側に設けた挿入口に筆記具を挿す構造や、背表紙部と手帳との間に空間を設けて、筆記具を挿す構造が一般的である。
【先行技術文献】
【特許文献】
【０００３】
【特許文献１】特開２００５−３３５２５８号公報
【特許文献２】特開２００９−２８６０４４号公報
【発明の概要】
【発明が解決しようとする課題】
【０００４】次のような問題点があった。
（イ）    手帳表表紙にペンを挿すとペン頭部が手帳を飛び出してしまう。
（ロ）    手帳側端部に挿入口を設けると手帳が大きくなってしまう。
（ハ）    手帳背表紙などの空間にペンを挿すにはペンの大きさが限られてしまう。
（ニ）    手帳表表紙の内側にペンを挿すと手帳本体と手帳表表紙に挟まれたペンの厚み          で手帳が膨らんでしまう。
本発明は、以上の問題点を解決するものである。
【課題を解決するための手段】
【０００５】  手帳本体の全長より手帳表表紙の全長を短くした部分の手帳段差を手帳表表紙上部に設け、手帳段差の全長より手帳カバー表表紙の全長を短くした部分の手帳カバー段差を手帳カバー表表紙上部に設ける。
本発明は、以上の構成よりなるペン挿し手帳である。
【発明の効果】
【０００６】  クリップ位置や大きさの異なるペンも手帳からペン頭部が飛び出すことなく挿すことが可能である。また手帳表表紙の外側にペンを挿すことによりペンによる手帳の膨らみなどがなくコンパクトである。
【図面の簡単な説明】
【０００７】
【図１】本発明の斜視図
【図２】手帳本体の斜視図
【図３】手帳カバーの斜視図
【発明を実施するための形態】
【０００８】以下、本発明の実施の形態を説明する。
（イ）    手帳本体（１）の全長（ａ）より手帳表表紙（３）の全長（ｂ）を短くした部      分の手帳段差（２）を手帳表表紙（３）上部に設ける。
（ロ）    手帳段差（２）の全長（ｂ）より手帳カバー表表紙（７）の全長（ｃ）を短く      した部分の手帳カバー段差（６）を手帳カバー表表紙（７）上部に設ける。
本発明は以上のような構造である。
本発明を使用するときは、手帳本体（１）に手帳カバー（５）を取り付ける。
手帳本体（１）の表表紙（３）手帳段差（２）にペンクリップを挿す。
ペン頭部が飛び出す場合は、手帳カバー（５）の表表紙（７）  上端部手帳カバー段差（６）にペンクリップを挿す。
【符号の説明】
【０００９】１  手帳本体
２  手帳段差
３  手帳表表紙
４  手帳裏表紙
５  手帳カバー
６  手帳カバー段差
７  手帳カバー表表紙
８  手帳カバー裏表紙
ａ  手帳全長
ｂ  手帳表表紙全長
ｃ  手帳カバー全長
【図１】
2013107377.tif 000003
【図２】
2013107377.tif 000004
【図３】
2013107377.tif 000005
(57)【要約】      （修正有）【課題】巻物をミニチュア化したところの装飾品の内面に、利用者の目標や願い、夢、希望などを記述して、日常的に携帯することにより、その実現への意欲高揚を図る。【解決手段】ストラップや根付、またはキーホルダーなどに用いることができるように形成された装飾品物と、装飾品物の棒状軸に設けたリングを介して取り付けた、日本古来の巻物を参考にしながらミニチュア化したところの装飾品物で構成している。【選択図】図１
2013107378.tif 000002
【特許請求の範囲】
【請求項１】
ストラップや根付、またはキーホルダーなどに用いることができるように形成された装飾品物６と、２の装飾品物の棒状軸４に設けたリング５を介して取り付けた、日本古来の巻物を参考にしながらミニチュア化したところの装飾品物２とで構成している装飾品。
【請求項２】
２の装飾品物の外面８の材料に内面９が記述可能となる和紙を使用して、または、和風模様の布、織物などを用いて、日本古来の巻物を参考にしながらミニチュア化したものをストラップや根付、またはキーホルダーなど装飾品として提供して、日本の伝統的な雰囲気を楽しんでもらうことを特徴とする請求項１記載のストラップや根付、またはキーホルダーなどに属する装飾品。
【請求項３】
２の装飾品物の外面８の材料に内面９が記述可能となる和紙を使用して、利用者の目標や願い、夢、希望などを記述して日常的に携帯することにより、それらの実現への意欲高揚を図る。また、複数人数やグループでひとつの目標や願い、夢、希望などを記述して共通の意識を持つことによって団結力と高揚力を高める一助となることを特徴とする請求項１〜２記載のストラップや根付、またはキーホルダーなどに属する装飾品。
【請求項４】
１の装飾品物は、神社などが販売するお守りとしても提供できる。通常のお守り同様、各々の神社が、家内安全、学業向上、交通安全、商売繁盛などの御祓いをしたものを内部に配して、ストラップや根付、またはキーホルダーなどとして提供する。大きさはミニチュアサイズである必要はない。
【発明の詳細な説明】
【技術分野】
【０００１】この発明は、ストラップや根付、またはキーホルダーなどの装飾品に関する。
【背景技術】
【０００２】従来、ストラップや根付、またはキーホルダーなどは、動物やマスコットなどを配するものはあったが、日本古来の巻物を参考にしながらミニチュア化したところの装飾品を配したストラップや根付、またはキーホルダーなどは提供されていない。また、巻物を参考にしながらミニチュア化したところの装飾品の内面に、利用者の目標や願い、夢、希望などを記述して、日常的に携帯することにより、それらの実現への意欲高揚を図るものである。
【発明の概要】
【発明が解決しようとする課題】
【０００３】本発明は、ストラップや根付、またはキーホルダーなど本来の目的を満たしつつ、本装飾品物の材料に和紙、または、和風模様の布、織物などを用い、日本古来の巻物を参考にしながらミニチュア化したものをストラップや根付、またはキーホルダーなど装飾品として提供して日本の伝統的な雰囲気を楽しんでもらう。さらに、和紙の内面を記述可能面として、利用者自身の目標や願い、夢、希望などを記して、日常的に携帯することにより、それらの実現への意欲を高める装飾品としてのストラップや根付、またはキーホルダーなどを提供することを課題とする。
【課題を解決するための手段】
【０００４】上記目的を達成するために、ストラップや根付、またはキーホルダーなどに用いることができるように形成された装飾品物６と、２の装飾品物の棒状軸４に設けたリング５を介して取り付けた、日本古来の巻物を参考にしてミニチュア化したところの装飾品物２とで構成している装飾品。【０００５】そして、２の装飾品物の外面８の材料に内面９が記述可能となる和紙を使用して、または、和風模様の布、織物などを用いて、日本古来の巻物を参考にしながらミニチュア化したものをストラップや根付、またはキーホルダーなど装飾品として提供して、日本の伝統的な雰囲気を楽しんでもらう。【０００６】さらに、２の装飾品物の外面８の材料に内面９が記述可能となる和紙を使用して、利用者の目標や願い、夢、希望などを記述して日常的に携帯することにより、それらの実現への意欲高揚を図る。また、複数人数やグループでひとつの目標や願い、夢、希望などを記述して共通の意識を持つことによって団結力と高揚力を高める一助となる。
和紙のほかに、和風模様の布、織物なども用いる。この場合は記述できる紙片を内面９に添付する。【０００７】その他、神社などが販売するお守りとしても提供できる。通常のお守り同様、各々の神社が、家内安全、学業向上、交通安全、商売繁盛などの御祓いをしたものを内部に配して、ストラップや根付、またはキーホルダーなどとして提供する。購入希望者はお守りを選択して購入する。
【発明の効果】
【０００８】１の装飾品物の外面８の材料に内面９が記述可能となる和紙を使用して、または、和風模様の布、織物などを用い、日本古来の巻物を参考にしながらミニチュア化したものをストラップや根付、またはキーホルダーなど装飾品として提供して、日本の伝統的な雰囲気を楽しんでもらう。また、世界へ日本文化を広める一助となる装飾品とする。
【図面の簡単な説明】
【０００９】
【図１】本発明の実施の形態の全体図である。
【図２】本発明の実施の形態の構成図である。
【図３】本発明の実施の形態の斜視図である。
【図４】本発明の実施の外面８の和風模様の一例としての説明図である。
【図５】本発明の実施の内面９の記述面の説明図である。
【図６】本発明の実施の使用時の意欲高揚と団結力を例とした説明図である。
【図７】本発明の実施の使用状態の説明図である。
【発明を実施するための形態】
【００１０】この発明の一実施形態を図７に示す。
バックに装飾品として取り付けられた説明図である。
【００１１】「他の実施形態」
１の装飾品物は、神社などが販売するお守りとしても提供できる。通常のお守り同様、各々の神社が、家内安全、学業向上、交通安全、商売繁盛などの御祓いをしたものを内部に配して、ストラップや根付、またはキーホルダーなどとして提供する。大きさはミニチュアサイズである必要はない。
他の実施形態では、必ずしも持ち歩かない場合もある。例えば、車内、社内、家庭内などに設置することも想定される。この場合は、６を除いた２だけを使用し、さらに大きさはミニチュアサイズである必要はない。
【符号の説明】
【００１２】１  巻物全体図
２  巻物部
３  棒状軸
４  棒状軸
５  巻物部のストラップ部取付金具
６  ストラップ部
７  巻物止め紐
８  外面（和風模様面）
９  内面（利用者による記述面）
【図１】
2013107378.tif 000003
【図２】
2013107378.tif 000004
【図３】
2013107378.tif 000005
【図４】
2013107378.tif 000006
【図５】
2013107378.tif 000007
【図６】
2013107378.tif 000008
【図７】
2013107378.tif 000009
(57)【要約】【課題】本発明は、ヘマトコッカス属（Ｈａｅｍａｔｏｃｏｃｃｕｓ）に属する緑藻の抽出物とアルガン油の配合による優れた抗炎症作用、抗酸化作用及びメラニン生成抑制作用などを有し、シワ、シミ、にきび、皮膚炎などの皮膚に生じる様々なトラブルを未然に防止又は抑制することができる化粧料組成物を提供すること。【解決手段】ヘマトコッカス属（Ｈａｅｍａｔｏｃｏｃｃｕｓ）に属する緑藻の抽出物とアルガン油を含有してなることを特徴とする化粧料組成物とする。前記ヘマトコッカス属（Ｈａｅｍａｔｏｃｏｃｃｕｓ）に属する緑藻の抽出物としては、アスタキサンチン及び／又はアスタキサンチンのエステル誘導体が好ましく、前記アルガン油としては、リノレイン酸、ルペオール、トリテルペンアルコール等の有するものが好ましい。【特許請求の範囲】
【請求項１】
ヘマトコッカス属（Ｈａｅｍａｔｏｃｏｃｃｕｓ）に属する緑藻とアルガン油を含有してなることを特徴とする化粧料。
【請求項２】
ヘマトコッカス属（Ｈａｅｍａｔｏｃｏｃｃｕｓ）に属する緑藻の抽出物とアルガン油を含有してなることを特徴とする化粧料。
【請求項３】
化粧料が皮膚化粧料であること、を特徴とする請求項１〜２のいずれか１項に記載の方法。
【請求項４】
化粧料が美白効果、保湿効果、抗酸化効果、日焼け改善の少なくともひとつの効果を有すること、を特徴とする請求項１〜３のいずれか３項に記載の方法。
【請求項５】
請求項１〜４のいずれか１項の方法によって製造してなる、ヘマトコッカス属（Ｈａｅｍａｔｏｃｏｃｃｕｓ）に属する緑藻とアルガン油を封入したりする化粧料。
【請求項６】
美白効果、保湿効果、抗酸化効果の少なくともひとつの効果を有し、更に、経皮吸収力の向上、使用感の向上、使い心地の向上の少なくともひとつの効果を有する請求項５に記載の化粧料。
【請求項７】
化粧料が、化粧水、美容液、乳液、クリーム、パック、マスク、入浴剤、洗浄剤、分散液、軟膏、液剤、エアゾール、貼布剤の少なくともひとつであること、を特徴とする請求項５又は６に記載の化粧料。
【発明の詳細な説明】
【技術分野】
【０００１】本発明は、ヘマトコッカス属（Ｈａｅｍａｔｏｃｏｃｃｕｓ）に属する緑藻とアルガン油などを有効成分とする化粧料であり、殊に保湿性・ハリの高い且つその持続性が高い化粧料などに関するものである。
【背景技術】
【０００２】従来の化粧料、例えば乳液等の化粧料に対して、皮膚の黒化や色素沈着によるしみ、そばかす等を改善するための美白効果、また、しみやたるみの予防のための保湿効果や抗酸化効果を付与させることが行われており、種々の原料が化粧料に配合されている。【０００３】一例として、美白剤としてはグルタチオン、ハイドロキノン等、保湿剤としてはコラーゲン、ヒアルロン酸等、抗酸化剤としてはビタミンＥなどが原料として挙げられる。【０００４】しかしながら、これらの原料は単一の美容効果のみを有するものであり、複数の美容効果を単一の化粧品等に付与させる場合には、種々の異なる効果を有する原料を化粧料等に配合する必要があり、製造過程の処方の煩雑さが問題とされているとともに、複数の原料を同時に使用することにより、個々の原料が有していた効果が阻害される可能性も示唆されている。【０００５】このような問題点を解決できる原料として、ヘマトコッカス属（Ｈａｅｍａｔｏｃｏｃｃｕｓ）及びアルガンオイルが注目されている。アルガンオイルは古来より日焼け予防によるシミ・シワ改善として用いられており、近年ではヘマトコッカス属（Ｈａｅｍａｔｏｃｏｃｃｕｓ）の主要成分であるアスタキサンチンの有効成分を生かした成分が美容分野において広く用いられており、皮膚外用剤として、あるいはサプリメントや健康食品として経口で摂取することにより用いられている。【０００６】
【発明が解決しようとする課題】
【０００７】本発明は、上記問題点を解決すべくヘマトコッカス属（Ｈａｅｍａｔｏｃｏｃｃｕｓ）及びアルガンオイルの持つ効能、特に美白、保湿、抗酸化効果について、その効能を著しく向上させ、それでいて安全性が高く、処方も容易に行えることを特徴とする化粧料を提供することを目的としている。また、本発明は、化粧料、特に皮膚化粧料を対象とすることから、使用感の向上、経皮吸収力の向上も目的とするものである。
【課題を解決するための手段】
【０００８】本発明は、これらの有用新知見に基づき、更に研究の結果、遂に達成されたものであって、ヘマトコッカス属（Ｈａｅｍａｔｏｃｏｃｃｕｓ）及びアルガンオイルを封入する化粧料（化粧品、皮膚外用剤）を基本的な技術とする
【０００９】  本発明は、上記目的を達成するためになされたものである。しかしながら、ヘマトコッカス属（Ｈａｅｍａｔｏｃｏｃｃｕｓ）及びアルガンオイルは各種成分を含む複雑な天然物由来成分であるが、アルガンオイルが有する効果が更に奏されるという従来未知しかもきわめて有用な新知見を得た。
【００１０】上記目標達成は、ヘマトコッカス属（Ｈａｅｍａｔｏｃｏｃｃｕｓ）及びアルガンオイルは、これを混合することにより、両者の効果を最大限発揮できる成分効能であり使用感が更に向上するという全く予期せざる著効が奏されることをはじめて見出した。
【００１１】本発明は、これらの有用新知見に基づき、更に研究の結果、遂に達成されたものであって、ヘマトコッカス属（Ｈａｅｍａｔｏｃｏｃｃｕｓ）及びアルガンオイルを混合した化粧料（化粧品、皮膚外用剤）を基本的な技術思想とする。
(57)【要約】      （修正有）【課題】自然災害の発生時に起生するガラス製品、クリスタル容器並びに陶磁器、セラミクス製品等の倒壊、落壊による連鎖的倒壊、落壊及び人為的過失過誤により発生する倒壊、落壊により発生する器物、内容物を含むそれらの損失と人的損害、怪我、死亡事故等の予防、防止。【解決手段】対応防護装具は発泡性スポンジ、ゴム製ラバー、耐水性布地、マジックテープ（登録商標）等々を複合的に組み合わせ各種の器物、容器を損壊から防護する物である。【選択図】図１
2013107700.tif 000002
【特許請求の範囲】
【請求項１】
ガラス製品、クリスタル容器等の防護装具
【請求項２】
陶磁器、セラミクス容器等の防護装具
【発明の詳細な説明】
【技術分野】
【０００１】ガラス製品、クリスタル容器並びに陶磁器、セラミクス製品等の製造技術
【背景技術】
【０００２】ガラス製品、クリスタル容器、並びに陶磁器、セラミクス製品等の製造技術
【先行技術文献】
【特許文献】
【０００３】
【特許文献１】
【特許文献２】
【非特許文献】
【０００４】
【非特許文献１】
【非特許文献２】
【発明の概要】
地震、台風、竜巻、水害等々の自然災害の発生時に於けるガラス製品、クリスタル容器等と陶磁器、セラミクス製品等の倒壊、落壊及び人為的過失、過誤による倒壊、落壊事故の発生時に於ける倒壊、落壊対応防護装具を用いる事により甚大なる経済的損失を防止し器物の損壊による他の器物への連鎖的損壊を防止し人的事故、怪我、死亡事故等の予防防止
【発明が解決しようとする課題】［自然災害の発生時に起生するガラス製品、クリスタル容器、並びに陶磁器、セラミクス製品等の倒壊、落壊及び人為的過失過誤により発生する倒壊、落壊による器物の損壊損失と人的損害、怪我、死亡事故等の予防、防止］
【課題を解決するための手段】［上記の目的を達成する為に倒壊、落壊対応防護装具を製造する］
【発明の効果】［倒壊、落壊対応防護装具を用いる事により、器物及び内容物の損壊、損失、人的被害の予防防止等々其の効果は経済的な分野に止まらず、時間的、空間的分野に及び、世界的規模を持って拡大する物と考察出来る
【図面の簡単な説明】［対応防護装具は発泡性スポンジ、ゴム製ラバー、耐水性布地、マジックッテープ等々を複合的に組み合わせ各種の器物、容器を損壊から防護する物である］
【図１】
【図２】
【発明を実施する為の形態】
［倒壊、落壊対応防護装具は器物の形態に適合した形態］
【実施例】［現在の所其の実施例を見た事は無い］
【産業上の利用可能性】［ガラス製品、クリスタル容器、並びに陶磁器、セラミクス容器等々の製造現場、それらの卸売販売業、小売販売店、ビール、ジュース、サイダー、ラムネ、炭酸水，酒、醤油、食用油等々の製造販売現場、デパート、スーパー、スパー、各種小売店、流通運輸、其の他、多方面に渡って利用される可能性が出て来る物と思はれる］
【符号の説明】
【受託番号】
【図１】
2013107700.tif 000003
【図２】
2013107700.tif 000004